(57)【要約】【課題】  ユーザによる操作を簡略化する。【解決手段】  ＭＦＰは、複数ページの画像を含む原稿画像に重畳して、複数ページのページサイズを最大で有する切り出し範囲を、複数ページが配置される順に従って移動可能に表示する重畳表示部２０５と、切り出し範囲の原稿画像中の位置を決定する切り出し範囲指定部２０７と、決定された位置における切り出し範囲が連続する２つのページのうち先のページの一部と後のページの一部とを含む場合、先のページの一部と後のページの一部とを原稿画像から抽出する抽出部２０９と、先のページの一部と後のページの一部とに基づき出力画像を生成する出力画像生成部２１３と、を備える。【選択図】        図３
2008078757.tif 000002
【特許請求の範囲】
【請求項１】
複数ページの画像を含む原稿画像に重畳して、前記複数ページのページサイズを最大で有する切り出し範囲を、前記複数ページが配置される順に従って移動可能に表示する表示手段と、
前記切り出し範囲の前記原稿画像中の位置を決定する位置決定手段と、
前記決定された位置における前記切り出し範囲が連続する２つのページのうち先のページの一部と後のページの一部とを含む場合、前記先のページの一部と前記後のページの一部とを前記原稿画像から抽出する抽出手段と、
前記先のページの一部と前記後のページの一部とに基づき出力画像を生成する出力画像生成手段と、を備えた画像編集装置。
【請求項２】
前記出力画像生成手段は、前記先のページの一部の後に前記後のページの一部を並べた画像を生成する合成手段を含む、請求項１に記載の画像編集装置。
【請求項３】
前記合成手段は、前記先のページの一部および前記後のページの一部の少なくとも一方から複数の行領域を抽出する行領域抽出手段と、
前記抽出された複数の行領域間の間隔に基づいて、前記先のページの一部と前記後のページの一部を配置する間隔を決定する配置間隔決定手段と、を含む請求項２に記載の画像編集装置。
【請求項４】
前記原稿画像のうちから予め定められた属性の特定部分を抽出する特定部分抽出手段をさらに備え、
前記出力画像生成手段は、前記抽出手段により前記原稿画像から抽出された前記先のページの一部および前記後のページの一部から前記特定部分を削除する特定部分削除手段を含む請求項１に記載の画像編集装置。
【請求項５】
前記出力画像生成手段は、前記先のページの一部から削除された前記特定部分を前記後のページの一部の後に並べて付加し、前記後のページの一部から削除された前記特定部分を前記先のページの一部の前に並べて付加する特定部分付加手段をさらに含む、請求項４に記載の画像編集装置。
【請求項６】
縮小率を設定する縮小率設定手段をさらに備え、
前記表示手段は、前記原稿画像のページサイズと縮小率とで定まる面積を最大で有する切り出し範囲を、前記原稿画像で前記複数ページが配置される順に従って移動可能に前記原稿画像に重畳して表示し、
前記出力画像生成手段は、前記先のページの一部と前記後のページの一部とを前記縮小率に従ってそれぞれ変換し、２つの変換画像を生成する変換手段と、
前記先のページの一部を変換した第１の変換画像の後に前記後のページの一部を変換した第２の変換画像を並べた画像を生成する合成手段合成手段と、を含み、
前記変換手段は、画像が文字を含む文字属性の場合、画像から複数の行領域を抽出する行領域抽出手段と、
前記抽出された複数の行領域間の間隔を前記縮小率に基づいて定まる間隔に変更する文字領域変更手段と、
画像が文字属性でない場合、画像を前記縮小率にしたがって縮小する縮小手段と、を含む請求項１に記載の画像編集装置。
【請求項７】
複数ページの画像を含む原稿画像に重畳して、前記複数ページのページサイズを最大で有する切り出し範囲を、前記複数ページが配置される順に従って移動可能に表示するステップと、
前記切り出し範囲の前記原稿画像中の位置を決定するステップと、
前記決定された位置における前記切り出し範囲が連続する２つのページのうち先のページの一部と後のページの一部とを含む場合、前記先のページの一部と前記後のページの一部とを前記原稿画像から抽出するステップと、
前記抽出された前記先のページの一部と前記後のページの一部とに基づき出力画像を生成するステップと、を含む画像編集方法。
【請求項８】
複数ページの画像を含む原稿画像に重畳して、前記複数ページのページサイズを最大で有する切り出し範囲を、前記複数ページが配置される順に従って移動可能に表示するステップと、
前記切り出し範囲の前記原稿画像中の位置を決定するステップと、
前記決定された位置における前記切り出し範囲が連続する２つのページのうち先のページの一部と後のページの一部とを含む場合、前記先のページの一部と前記後のページの一部とを前記原稿画像から抽出するステップと、
前記抽出された前記先のページの一部と前記後のページの一部とに基づき出力画像を生成するステップと、をコンピュータに実行させる画像編集プログラム。
【発明の詳細な説明】
【技術分野】
【０００１】
この発明は、画像編集装置、画像編集方法および画像編集プログラムに関し、特に複数ページを含む画像を編集するための画像編集装置、画像編集方法および画像編集プログラムに関する。
【背景技術】
【０００２】
文章が複数ページに印刷される場合、１つのまとまりのある文章が２つのページに分断されてしまう場合がある。テキストデータ等、文字をコンピュータで識別可能なデータであれば、所望の文章の部分を選択して、印刷することができるが、データが印刷された用紙には画像が形成されているため、その画像から所望の部分を切り出して、新たな画像を生成しなければならず、切り出す部分を指定する作業が必要で煩雑な作業であった。
【０００３】
特開平６−３０１８１５号公報（特許文献１）には、認識対象文書をスキャナ等で変換して入力される２値画像から連結図形の外接矩形を求めこの外接矩形の距離及び大きさにより第１の統合を行い統合された外接矩形の大きさ及びピッチより第２の統合を行ってレイアウト要素等を抽出し、レイアウト要素等の大きさ及び距離等から読み順候補等を求める技術が記載されている。しかしながら、読取候補が複数ある場合には、ユーザが画像を見て候補のうちから１つを選択しなければならず、ユーザの作業が煩雑であるといった問題がある。
【特許文献１】特開平６−３０１８１５号公報
【発明の開示】
【発明が解決しようとする課題】
【０００４】
この発明は上述した問題点を解決するためになされたもので、この発明の目的の一つは、ユーザによる操作を簡略化した画像編集装置、画像編集方法および画像編集プログラムを提供することである。
【課題を解決するための手段】
【０００５】
この発明は上述した目的を達成するためになされたもので、この発明のある局面によれば、画像編集装置は、複数ページの画像を含む原稿画像に重畳して、複数ページのページサイズを最大で有する切り出し範囲を、複数ページが配置される順に従って移動可能に表示する表示手段と、切り出し範囲の原稿画像中の位置を決定する位置決定手段と、決定された位置における切り出し範囲が連続する２つのページのうち先のページの一部と後のページの一部とを含む場合、先のページの一部と後のページの一部とを原稿画像から抽出する抽出手段と、先のページの一部と後のページの一部とに基づき出力画像を生成する出力画像生成手段と、を備える。
【０００６】
この局面に従えば、複数ページの画像を含む原稿画像に重畳して、複数ページのページサイズを最大で有する切り出し範囲が、複数ページが配置される順に従って移動可能に表示され、切り出し範囲の原稿画像中の位置が決定されると、切り出し範囲が連続する２つのページのうち先のページの一部と後のページの一部とを含む場合、先のページの一部と後のページの一部とに基づき出力画像が生成される。このため、ユーザが原稿画像における切り出し範囲の位置を決定するだけで、２つのページに分断された部分を含む出力画像が生成されるので、操作が容易である。その結果、ユーザによる操作を簡略化した画像編集装置を提供することができる。
【０００７】
好ましくは、出力画像生成手段は、先のページの一部の後に後のページの一部を並べた画像を生成する合成手段を含む。
【０００８】
好ましくは、合成手段は、先のページの一部および後のページの一部の少なくとも一方から複数の行領域を抽出する行領域抽出手段と、抽出された複数の行領域間の間隔に基づいて、先のページの一部と後のページの一部とを配置する間隔を決定する配置間隔決定手段と、を含む。
【０００９】
好ましくは、原稿画像のうちから予め定められた属性の特定部分を抽出する特定部分抽出手段をさらに備え、出力画像生成手段は、抽出手段により原稿画像から抽出された先のページの一部および後のページの一部から特定部分を削除する特定部分削除手段を含む。
【００１０】
好ましくは、出力画像生成手段は、先のページの一部から削除された特定部分を後のページの一部の後に並べて付加し、後のページの一部から削除された特定部分を先のページの一部の前に並べて付加する特定部分付加手段をさらに含む。
【００１１】
好ましくは、縮小率を設定する縮小率設定手段をさらに備え、表示手段は、原稿画像のページサイズと縮小率とで定まる面積を最大で有する切り出し範囲を、原稿画像で複数ページが配置される順に従って移動可能に原稿画像に重畳して表示し、出力画像生成手段は、先のページの一部と後のページの一部とを縮小率に従ってそれぞれ変換し、２つの変換画像を生成する変換手段と、先のページの一部を変換した第１の変換画像の後に後のページの一部を変換した第２の変換画像を並べた画像を生成する合成手段合成手段と、を含み、変換手段は、画像が文字を含む文字属性の場合、画像から複数の行領域を抽出する行領域抽出手段と、抽出された複数の行領域間の間隔を縮小率に基づいて定まる間隔に変更する文字領域変更手段と、画像が文字属性でない場合、画像を縮小率にしたがって縮小する縮小手段と、を含む。
【００１２】
この発明の他の局面によれば、画像編集方法は、複数ページの画像を含む原稿画像に重畳して、複数ページのページサイズを最大で有する切り出し範囲を、複数ページが配置される順に従って移動可能に表示するステップと、切り出し範囲の原稿画像中の位置を決定するステップと、決定された位置における切り出し範囲が連続する２つのページのうち先のページの一部と後のページの一部とを含む場合、先のページの一部と後のページの一部とを原稿画像から抽出するステップと、抽出された先のページの一部と後のページの一部とに基づき出力画像を生成するステップと、を含む。
【００１３】
この局面に従えば、ユーザによる操作を簡略化した画像編集方法を提供することができる。
【００１４】
この発明の他の局面によれば、画像編集プログラムは、複数ページの画像を含む原稿画像に重畳して、複数ページのページサイズを最大で有する切り出し範囲を、複数ページが配置される順に従って移動可能に表示するステップと、切り出し範囲の原稿画像中の位置を決定するステップと、決定された位置における切り出し範囲が連続する２つのページのうち先のページの一部と後のページの一部とを含む場合、先のページの一部と後のページの一部とを原稿画像から抽出するステップと、抽出された先のページの一部と後のページの一部とに基づき出力画像を生成するステップと、をコンピュータに実行させる画像編集プログラム。
【００１５】
この局面に従えば、ユーザによる操作を簡略化した画像編集プログラムを提供することができる。
【発明を実施するための最良の形態】
【００１６】
以下、本発明の実施の形態について図面を参照して説明する。以下の説明では同一の部品には同一の符号を付してある。それらの名称および機能も同じである。したがってそれらについての詳細な説明は繰返さない。
【００１７】
図１は、ＭＦＰの外観を示す斜視図である。図１を参照して、ＭＦＰ１００は、自動原稿搬送装置（ＡＤＦ）１０と、画像読取部２０と、画像形成部３０と、給紙部４０と、を含む。ＡＤＦ１０は、原稿台に搭載された複数枚の原稿をさばいて１枚ずつ順に、画像読取部２０に搬送する。画像読取部２０は、写真、文字、絵等の画像情報を原稿から光学的に読み取って画像データを取得する。画像形成部３０は、画像データが入力されると、画像データに基づいて用紙上に画像を形成する。画像形成部３０は、シアン、マゼンタ、イエロー、ブラックの４色のトナーを用いて画像を形成する。給紙部４０は、用紙を格納しており、格納した用紙を１枚ずつ画像形成部３０に供給する。ＭＦＰ１００は、その上面に操作パネル９を備える。
【００１８】
図２は、ＭＦＰのハード構成の一例を示すブロック図である。図２を参照して、ＭＦＰ１００は、メイン回路１０１と、ファクシミリ部６０と、通信制御部６１と、ＡＤＦ１０と、画像読取部２０と、画像形成部３０と、給紙部４０とを含む。メイン回路１０１は、中央演算装置（ＣＰＵ）１１１と、ＣＰＵ１１１の作業領域として使用されるＲＡＭ（Ｒａｎｄｏｍ  Ａｃｃｅｓｓ  Ｍｅｍｏｒｙ）１１２と、ＣＰＵ１１１が実行するプログラム等を記憶するためのＲＯＭ（Ｒｅａｄ  Ｏｎｌｙ  Ｍｅｍｏｒｙ）１１３と、表示部１１４と、操作部１１５と、大容量記憶装置としてのハードディスクドライブ（ＨＤＤ）１１６と、データ通信制御部１１７と、を含む。ＣＰＵ１１１は、表示部１１４、操作部１１５、ＨＤＤ１１６およびデータ通信制御部１１７とそれぞれ接続され、メイン回路１０１の全体を制御する。また、ＣＰＵ１１１は、ファクシミリ部６０、通信制御部６１、ＡＤＦ１０、画像読取部２０、画像形成部３０、給紙部４０、と接続され、ＭＦＰ１００の全体を制御する。
【００１９】
表示部１１４は、液晶表示装置（ＬＣＤ）、有機ＥＬＤ（Ｅｌｅｃｔｒｏ  Ｌｕｍｉｎｅｓｃｅｎｃｅ  Ｄｉｓｐｌａｙ）等のディスプレイであり、ユーザに対する指示メニューや取得した画像データに関する情報等を表示する。操作部１１５は、複数のキーを備え、キーに対応するユーザの操作による各種の指示、文字、数字などのデータの入力を受け付ける。操作部１１５は、表示部１１４上に設けられたタッチパネルを含む。表示部１１４と操作部１１５とで、操作パネル９が構成される。
【００２０】
データ通信制御部１１７は、ＴＣＰ（Ｔｒａｎｓｍｉｓｓｉｏｎ  Ｃｏｎｔｒｏｌ  Ｐｒｏｔｏｃｏｌ）またはＦＴＰ（Ｆｉｌｅ  Ｔｒａｎｓｆｅｒ  Ｐｒｏｔｏｃｏｌ）等の通信プロトコルで通信するためのインターフェースであるＬＡＮ端子１１８と、シリアル通信するためのシリアル通信インターフェース端子１１９とを有する。データ通信制御部１１７は、ＣＰＵ１１１からの指示に従って、ＬＡＮ端子１１８またはシリアル通信インターフェース端子１１９に接続された外部の機器との間でデータを送受信する。
【００２１】
ＬＡＮ端子１１８に、ネットワークに接続するためのＬＡＮケーブルが接続される場合、データ通信制御部１１７は、ＬＡＮ端子１１８を介して接続された他のＭＦＰ、スキャナ、プリンタ、またはコンピュータと通信する。ＣＰＵ１１１は、ＬＡＮ端子１１８を介して接続された他のＭＦＰ、スキャナ、プリンタ、またはコンピュータから、データを受信すると、そのデータをＨＤＤ１１６に格納する。また、シリアル通信インターフェース端子１１９に機器が接続された場合、データ通信制御部１１７は、シリアル通信インターフェース端子１１９に接続された機器、例えば、デジタルカメラ、デジタルビデオカメラまたは携帯情報端末との間で通信してデータを入出力する。また、シリアル通信インターフェース端子１１９には、フラッシュメモリを内蔵したメモリカード１１９Ａが接続可能である。
【００２２】
また、ＣＰＵ１１１は、データ通信制御部１１７を制御して、メモリカード１１９ＡからＣＰＵ１１１が実行するためのプログラムを読出し、読み出したプログラムをＲＡＭ１１２に記憶し、実行する。なお、ＣＰＵ１１１が実行するためのプログラムを記憶する記録媒体としては、メモリカード１１９Ａに限られず、フレキシブルディスク、カセットテープ、光ディスク（ＣＤ−ＲＯＭ（Ｃｏｍｐａｃｔ  Ｄｉｓｃ−Ｒｅａｄ  Ｏｎｌｙ  Ｍｅｍｏｒｙ）／ＭＯ（Ｍａｇｎｅｔｉｃ  Ｏｐｔｉｃａｌ  Ｄｉｓｃ／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  ＥＰＲＯＭ）などの半導体メモリ等の媒体でもよい。さらに、ＣＰＵ１１１がインターネットに接続されたコンピュータからプログラムをダウンロードしてＨＤＤ１１６に記憶する、または、インターネットに接続されたコンピュータが画像データ記憶プログラムをＨＤＤ１１６に書込みするようにして、ＨＤＤ１１６に記憶されたプログラムをＲＡＭ１１２にロードしてＣＰＵ１１１で実行するようにしてもよい。ここでいうプログラムは、ＣＰＵ１１１により直接実行可能なプログラムだけでなく、ソースプログラム、圧縮処理されたプログラム、暗号化されたプログラム等を含む。
【００２３】
通信制御部６１は、ＣＰＵ１１１をＰＳＴＮ７に接続するためのモデムである。ＭＦＰ１００には、ＰＳＴＮ７における電話番号が予め割り当てられており、ＰＳＴＮ７に接続されたファクシミリ装置からＭＦＰ１００に割り当てられた電話番号に発呼があると、通信制御部６１がその発呼を検出する。通信制御部６１は、発呼を検出すると通話を確立し、ファクシミリ部６０に通信させる。
【００２４】
ファクシミリ部６０は、ＰＳＴＮ７に接続され、ＰＳＴＮ７にファクシミリデータを送信する、またはＰＳＴＮ７からファクシミリデータを受信する。ファクシミリ部６０は、受信したファクシミリデータを画像形成部３０でプリント可能な画像データに変換して、画像形成部３０に出力する。これにより、画像形成部３０は、ファクシミリ部６０により受信されたファクシミリデータを用紙等の記録シートにプリントする。また、ファクシミリ部６０は、ＨＤＤ１１６に記憶された画像データをファクシミリデータに変換して、ＰＳＴＮ７に接続されたファクシミリ装置または他のＭＦＰに出力する。これにより、ＨＤＤ１１６に記憶された画像データをファクシミリ装置または他のＭＦＰに出力することができる。このように、ＭＦＰ１００は、ファクシミリ送受信機能を有する。
【００２５】
また、ＭＦＰ１００は、スキャナ機能を有する。ＣＰＵ１１１は、画像読取部２０が原稿を読み取って出力する画像データをＨＤＤ１１６の指定された領域に格納する。また、ＭＦＰ１００は、コピー機能を有する。ＣＰＵ１１１は、画像読取部２０が原稿を読み取って出力する画像データを、画像形成部３０に出力する。これにより、画像形成部３０は、画像読取部２０から入力される画像データに基づいて、用紙等の記録シート上に画像を形成する。
【００２６】
ＭＦＰ１００にデータが入力される場合は、（１）画像読取部２０が原稿を読み取って、画像データを出力する場合、（２）ＬＡＮ端子１１８を介してネットワークに接続された他のコンピュータから画像データが受信される場合、（３）シリアルインターフェース端子に接続された機器またはメモリカード１１９Ａから画像データを受信する場合、（４）ファクシミリ部６０が、ファクシミリデータを受信する場合がある。ここで、ファクシミリデータは、画像形成部３０で画像を形成するための画像データに変換される。
【００２７】
図３は、ＣＰＵの機能の概要の一例を示す機能ブロック図である。図３を参照して、ＣＰＵ１１１は、画像データを受け付けるための画像データ受付部２０１と、原稿情報を受け付けるための原稿情報受付部２０３と、画像データに基づく原稿画像を表示部１１４に表示するとともに切り出し範囲を原稿画像に重畳して表示する重畳表示部２０５と、原稿画像中の位置の指定を受け付ける切り出し範囲指定部２０７と、切り出し範囲中の原稿画像を抽出する抽出部２０９と、原稿画像中から特定部分を抽出する特定部分抽出部２１１と、抽出部２０９により抽出された画像に基づき出力画像を生成する出力画像生成部２１３と、を含む。
【００２８】
原稿情報受付部２０３は、原稿情報を受け付ける。具体的には、原稿情報受付部２０３は、画像編集画面を表示部１１４に表示し、ユーザが画像編集画面に従って操作部１１５に入力した原稿情報を受け付ける。
【００２９】
図４は、画像編集画面の一例を示す第１の図である。図４を参照して、画像編集画面は、原稿画像を表示する領域３０１と、合成画像を表示する領域３２１と、原稿情報を設定するための領域３０３〜３０９，３１１と、原稿画像の回転を指示するためのボタン３１０と、原稿の読取を指示するためのボタン３１３，３１５と、を含む。
【００３０】
原稿情報を設定するための領域３０３〜３０９，３１１は、原稿の大きさを示す原稿サイズを設定するための領域３０３と、原稿のタイプを示す原稿タイプを設定するための領域３０４と、原稿中の文章の段組数を設定する領域３０５と、読取解像度を設定する領域３０６と、原稿のサイズを示す読取サイズを設定するための領域３０７と、カラー、グレースケールまたはモノクロのいずれのモードで原稿を読み取るかを示すカラーモードを設定するための領域３０８と、原稿が文字および写真のいずれを表すかを示す原稿モードを設定するための領域３０９と、出力画像の倍率を設定するための領域３１１と、を含む。
【００３１】
原稿情報受付部２０３は、画像編集画面の領域３０３〜３０９，３１１に設定された原稿情報を受け付け、受け付けた原稿情報を画像データ受付部２０１および切り出し範囲指定部２０７に出力する。
【００３２】
画像データ受付部２０１は、画像読取部２０が原稿を読み取って出力する画像データを受け付け、受け付けた画像データを重畳表示部２０５、切り出し範囲指定部２０７および特定部分抽出部２１１に出力する。具体的には、画像データ受付部２０１は、ユーザが図４に示した画像編集画面の原稿の読取を指示するためのボタン３１３，３１５のいずれかが指示されると、読取指示を受け付け、画像読取部２０に原稿を読み取らせる。そして、画像読取部２０が出力する画像データを受け付ける。画像データ受付部２０１は、読込みボタン３１３が指示されると、領域３０６に設定された解像度で原稿を読み取る指示を、画像読取部２０に出力する。プレスキャンボタン３１５が指示されると、画像読取部２０は、予め定められた解像度で原稿を読み取る指示を、画像読取部２０に出力する。予め定められた解像度は、領域３０６に設定された解像度より低いのが好ましく、例えば、１００ｄｐｉである。
【００３３】
なお、画像データ受付部２０１は、ＨＤＤ１１６に例えば、ビットマップフォーマット、ＰＤＦ（Ｐｏｒｔａｂｌｅ  Ｄｏｃｕｍｅｎｔ  Ｆｏｒｍａｔ）、ＧＩＦ（Ｇｒａｐｈｉｃ  Ｉｎｔｅｒｃｈａｎｇｅ  Ｆｏｒｍａｔ）、ＴＩＦＦ（Ｔａｇｇｅｄ  Ｉｍａｇｅ  Ｆｉｌｅ  Ｆｏｒｍａｔ）、ＪＰＥＧ（Ｊｏｉｎｔ  Ｐｈｏｔｏｇｒａｐｈｉｃ  Ｅｘｐｅｒｔｓ  Ｇｒｏｕｐ）フォーマットなどで記憶された画像データを読出し、その画像データを受け付けるようにしてもよい。
【００３４】
図３に戻って、切り出し範囲指定部２０７は、原稿情報受付部２０３から入力される原稿情報に基づいて切り出し範囲のサイズを決定し、ユーザが操作部１１５に入力する指示に基づいて切り出し範囲の原稿画像中における位置を決定する。切り出し範囲指定部２０７は、原稿画像に含まれる１ページのサイズに切り出し範囲を決定する。例えば、原稿情報の原稿タイプが２ｉｎ１であれば、原稿画像の１／２のサイズに切り出し範囲を決定する。さらに、原稿情報の縮小率が１００％より小さな値に設定されていれば、切り出し範囲のサイズを縮小率に応じたサイズに設定する。具体的には、切り出し範囲の面積を縮小率で除算した面積に設定する。
【００３５】
切り出し範囲は、原稿画像のページ順に従って移動可能であり、切り出し範囲指定部２０７は、表示部１１４に重畳して設けられたタッチパネルから切り出し範囲の原稿画像中の位置を受け付ける。切り出し範囲指定部２０７は、切り出し範囲のサイズと原稿画像中の位置とを重畳表示部２０５に出力する。重畳表示部２０５は、画像データに基づき原稿画像を図４に示した画像編集画面３００の領域３０１に表示するとともに、切り出し範囲３３１を原稿画像に重畳して表示する。
【００３６】
切り出し範囲の原稿画像中の位置の決定について、図４を用いて具体的に説明する。画像編集画面３００の領域３０３〜３０９，３１１に原稿情報が設定された状態で、プレスキャンボタン３１５が指示された場合に、領域３０１に原稿画像３３０が表示される。この例においては、領域３０４に２ｉｎ１が設定されているため、画像読取部２０が２ページの原稿を読み取って、出力する２ページ分の画像データを合成した１つの画像データが原稿画像３３０として領域３０１に表示される。原稿画像３３０は、左側に先のページの画像が配置され、右側に後のページの画像が配置されている。さらに、原稿画像３３０に重畳して切り出し範囲３３１が表示される。切り出し範囲３３１は、ユーザがタッチパネルなどを指示することにより、原稿画像中の位置を原稿画像のページ順に従って変化させる。図４では、切り出し範囲３３１は、先のページの部分３３３と、後のページの部分３３５とを含む。以下、先のページの部分３３３を第１部分画像３３３といい、後のページの部分３３５を第２部分画像３３５という。
【００３７】
ユーザが、切り出し範囲３３１を原稿画像中の所望の位置に移動させた後、原稿の読取を指示するための読み込みボタン３１３を指示すると、切り出し範囲指定部２０７は、切り出し範囲の指定を受け付け、切り出し範囲のその時点における原稿画像中の位置と、サイズとを抽出部２０９に出力する。
【００３８】
抽出部２０９は、原稿画像３３０のうちから切り出し範囲３３１に含まれる部分を抽出する。図４に示す例においては、原稿画像の第１部分画像３３３と、第２部分画像３３５とを抽出する。抽出部２０９は、原稿画像３３０のうちから抽出した第１部分画像３３３と第２部分画像３３５とを出力画像生成部２１３に出力する。
【００３９】
特定部分抽出部２１１は、原稿画像３３０のうちから予め定められた属性の特定部分を抽出する。予め定められた属性は、余白の領域、ヘッダ領域およびフッタ領域を含む。特定部分抽出部２１１は、抽出した特定部分を出力画像生成部２１３に出力する。
【００４０】
図５は、原稿画像と特定部分との関係の一例を示す図である。図５を参照して、原稿画像３３０は、ヘッダ領域３４１と、フッタ領域３４３とを含む。ヘッダ領域３４１は、ページの最上部からの余白と、ヘッダ情報３４７とを含む。ヘッダ情報３４７は、ページ中の位置で判断する。例えば、ページの最上部にある文字で、中央に配置されていれば、ヘッダ情報とする。フッタ領域３４３は、ページの最下部からの余白と、フッタ情報３４５とを含む。フッタ情報３４５は、ページ中の位置で判断する。例えば、ページの最下部にある文字で、中央に配置されていれば、フッタ情報とする。
【００４１】
図４においては、画像読取部２０が２ページの原稿を読み取って、出力する２ページ分の画像データを合成した１つの画像データを原稿画像３３０として領域３０１に表示する例を示したが、複数の原稿画像を領域３０１に表示するようにしてもよい。図６は、複数の原稿画像を領域３０１に表示する例を示す第１の図である。図６を参照して、画像読取部２０が先のページの原稿を読み取って出力する１ページ分の画像データの原稿画像３６１と、画像読取部２０が次のページの原稿を読み取って出力する１ページ分の画像データの原稿画像３６２とが、領域３０１に表示される。この場合、切り出し範囲３３１は、先のページの原稿画像３６１の最後の部分３６３と、後のページの原稿画像３６２の最初の部分３６４とを含む位置に移動可能である。
【００４２】
図７は、複数の原稿画像を領域３０１に表示する例を示す第２の図である。図７を参照して、画像読取部２０が２ページの原稿を読み取って、出力する２ページ分の画像データを合成した画像データの第１の原稿画像３６１Ａと、画像読取部２０が２ページの原稿を読み取って、出力する２ページ分の画像データを合成した画像データの第２の原稿画像３６１Ｂとが、領域３０１に表示される。この場合、切り出し範囲３３１は、第１の原稿画像３６１Ａの最後の部分３６５と、第２の原稿画像３６２Ａの最初の部分３６６とを含む位置に移動可能である。第１の原稿画像３６１Ａの最後の部分３６５は、第２の原稿画像３６２Ａの最初の部分３６６が含まれるページの前のページに含まれる。
【００４３】
図８は、出力画像生成部の詳細な機能を示す機能ブロック図である。図８を参照して、出力画像生成部２１３には、特定部分抽出部２１１から特定部分が入力され、抽出部２０９から原稿画像の第１部分画像３３３と第２部分画像３３５とが入力される。出力画像生成部２１３は、第１部分画像３３３と第２部分画像３３５それぞれから特定部分を削除する特定部分削除部２２１と、第１部分画像３３３と第２部分画像３３５それぞれの属性を判別する属性判別部２２３と、第１部分画像３３３と第２部分画像３３５のうち文字属性の部分から行領域を抽出する行領域抽出部２２５と、抽出された行領域の間隔を補正する行間補正部２２７と、第１部分画像３３３と第２部分画像３３５のうち文字属性以外の部分を縮小する縮小部２２９と、第１部分画像３３３と第２部分画像３３５とを並べた合成画像を生成する合成部２３１と、合成画像に特定部分を付加する特定部分付加部２３３と、を含む。
【００４４】
特定部分削除部２２１は、第１部分画像３３３と第２部分画像３３５それぞれから特定部分を削除する。図５に示したように、原稿画像３３０が、ヘッダ領域３４１とフッタ領域３４３とを含む場合、原稿画像３３０から抽出された第１部分画像３３３からフッタ領域３４３の部分が削除され、第２部分画像３３５からヘッダ領域３４１の部分が削除される。
【００４５】
属性判別部２２３は、第１部分画像３３３と第２部分画像３３５それぞれの属性を判別する。属性は、文字を含む文字属性と、その他の属性とを含む。ここでは、第１部分画像３３３が文字属性で、第２部分画像３３５がその他の属性である場合を例に説明する。属性判別部２２３は、第１部分画像３３３と第２部分画像３３５のうち文字属性と判別した部分、ここでは第１部分画像３３３を行領域抽出部２２５に出力し、その他の属性と判別した部分、ここでは第２部分画像３３５を縮小部２２９に出力する。
【００４６】
行領域抽出部２２５は、属性判別部２２３により文字属性と判別された画像、ここでは第１部分画像３３３から行領域を抽出する。行領域は、例えば、画像を２値化し、黒色の画素の外接矩形として抽出できる。
【００４７】
行間補正部２２７は、画像編集画面３００の領域３１１に１００％より小さな値の縮小率が設定された場合、その縮小率に従って、文字領域である画像、ここでは第１部分画像３３３の行間を補正し、それを合成部２３１に出力する。画像編集画面３００の領域３１１に１００％が設定された場合、文字領域である画像（第１部分画像３３３）をそのまま合成部２３１に出力する。例えば、８０％の縮小率が設定されている場合、第１部分画像３３３の面積を８０％に縮小しなければならないけれども、行間を狭くすることにより行領域の面積を縮小することなく、第１部分画像３３３の縦方向の長さを短くする。これにより、第１部分画像３３３に含まれる文字のサイズよりも出力画像の文字のサイズが小さくならないので、出力画像の文字を見やすくすることができる。
【００４８】
縮小部２２９は、画像編集画面３００の領域３１１に１００％より小さな値の縮小率が設定された場合、その縮小率に従って、属性判別部２２３により文字属性以外のその他の属性と判別された画像、ここでは第２部分画像３３５を縮小し、それを合成部２３１に出力する。縮小部２２９は、画像編集画面３００の領域３１１に１００％が設定された場合、その他の属性である画像（第２部分画像３３５）をそのまま合成部２３１に出力する。
【００４９】
合成部２３１は、第１部分画像３３３の後に第２部分画像３３５を並べた合成画像を生成し、合成画像を特定部分付加部２３３に出力する。合成部２３１は、第１部分画像３３３および第２部分画像３３５の少なくとも一方から抽出された行領域の間隔に基づいて、第１部分画像３３３と第２部分画像３３５とを並べる間隔を決定する。ここでは、行領域抽出部２２５により第１部分画像３３３の行領域が抽出され、その行間隔が求められているので、この行間隔を用いる。また、行間補正部２２７により行間隔が狭められているときは、補正後の行間隔を用いる。第１部分画像３３３の最終の行領域と、後のページの部分３３３で最初の余白以外の部分との間が先に求めた行間隔となるように、第１部分画像３３３と第２部分画像３３５とを配置する。
【００５０】
特定部分付加部２３３は、特定部分削除部２２１が第１部分画像３３３から削除した特定部分３４３を合成画像の最後に並べて付加し、特定部分削除部２２１が第２部分画像３３５から削除した特定部分３４１を合成画像の最初に並べて付加する。これにより、合成画像にヘッダ領域と、フッタ領域とが正しい位置に付加される。
【００５１】
図９は、合成画像の一例を示す第１の図である。図９を参照して、第１部分画像３３３からフッタ領域３４３を削除した部分３３３Ａの最終行と、第２部分画像３３５からヘッダ領域３４１を削除した部分３３５Ａの最初の行との間隔３５３が、第１部分画像３３３からフッタ領域３４３を削除した部分３３３Ａの行領域の間隔３５１と同じになるように、第１部分画像３３３からフッタ領域３４３を削除した部分３３３Ａと、第２部分画像３３５からヘッダ領域３４１を削除した部分３３５Ａとが並べて配置される。また、第１部分画像３３３から削除したフッタ領域３４３Ａが、第２部分画像３３５からヘッダ領域３４１を削除した部分３３５Ａの下方に並べて配置される。また、第２部分画像３３５から削除したヘッダ領域３４１Ａが、第１部分画像３３３からフッタ領域３４３を削除した部分３３３Ａの上方に並べて配置される。
【００５２】
したがって、第１部分画像３３３からフッタ領域３４３を削除した部分３３３Ａと、第２部分画像３３５からヘッダ領域３４１を削除した部分３３５Ａとが適切な間隔で配置され、ヘッダ領域３４１Ａとフッタ領域３４３Ａとが適切な位置に配置される。このため、出力される画像の見栄えが良くなる。
【００５３】
図１０は、画像編集画面の一例を示す第２の図である。図１０を参照して、図４に示した画像編集画面と異なる点は、縮小率を設定する領域３１１に１００％より小さい８７％が設定された点である。このため、領域３０１において原稿画像３３０に重畳して表示される切り出し範囲３３１Ａのサイズが、原稿画像３３０に含まれるページサイズよりも大きい。また、合成画像を表示する領域３２１には、原稿画像と同じサイズ「Ａ４」の合成画像が表示される。この合成画像は、原稿画像３３０の第１部分画像３３３と、原稿画像の第２部分画像３３５を並べて合成した画像であり、行間隔を狭くした画像である。このため、文字サイズが原稿画像におけるサイズより小さくなることがなく、見易い画像に編集することができる。
【００５４】
図１１は、画像編集処理の流れの一例を示すフローチャートである。画像編集処理は、ＣＰＵ１１１がＲＯＭ１１３に記憶された画像編集プログラムを実行することにより、ＣＰＵ１１１により実行される処理である。図１１を参照して、ＣＰＵ１１１は、表示部１１４に表示された画像編集画面３００に従ってユーザにより操作部１１５に入力された原稿情報を受け付ける（ステップＳ０１）。原稿情報は、原稿の大きさを示す原稿サイズと、原稿のタイプを示す原稿タイプと、原稿中の文章の段組数と、読取解像度と、原稿のサイズを示す読取サイズと、カラー、グレースケールまたはモノクロのいずれのモードで原稿を読み取るかを示すカラーモードと、原稿が文字および写真のいずれを表すかを示す原稿モードと、出力画像の倍率とを含む。
【００５５】
次に、原稿情報に従って、画像読取部２０に原稿を読み取らせ画像読取部２０が出力する画像データを取得する（ステップＳ０２）。次に切り出し範囲３３１のサイズを決定するために切り出し範囲サイズ決定処理を実行する（ステップＳ０３）。
【００５６】
図１２は、切り出し範囲サイズ決定処理の一例を示すフローチャートである。図１２を参照して、原稿情報の原稿タイプが、Ｎｉｎ１に設定されているか否かを判断する（ステップＳ２１）。原稿タイプがＮｉｎ１であれば、処理をステップＳ２２に進め、そうでなければ処理をステップＳ２３に進める。ステップＳ２２においては、切り出し範囲をＮｉｎ１に対応するサイズに決定し、処理をステップＳ２６に進める。原稿情報の原稿サイズとＮの数に応じた切り出し範囲のサイズを予め定義しておき、原稿サイズとＮの数とに対応するサイズに決定する。例えば、原稿タイプが２ｉｎ１であれば、原稿画像の１／２のサイズに切り出し範囲を決定する。
【００５７】
ステップＳ２３においては、原稿情報で段組数が複数に設定されているか否かを判断する。原稿情報の段組数が２以上に設定されていれば、処理をステップＳ２４に進め、そうでなければ処理をステップＳ２５に進める。ステップＳ２４においては、段組数に対応するサイズに決定し、処理をステップＳ２６に進める。原稿情報の原稿サイズと段組数に応じた切り出し範囲のサイズを予め定義しておき、原稿サイズと段組数とに対応するサイズに決定し、処理をステップＳ２６に進める。ステップＳ２５においては、切り出し範囲を原稿画像に含まれる１ページの画像と同じサイズに決定し、処理をステップＳ２６に進める。
【００５８】
ステップＳ２６においては、原稿画像を縮小して出力画像を生成する設定か否かを判断する。原稿情報の縮小率が１００％より小さな値に設定されているか否かにより判断する。縮小率が１００％より小さな値に設定されていれば、処理をステップＳ２７に進め、そうでなければステップＳ２７をスキップして、処理を画像編集処理に戻す。ステップＳ２７においては、ステップＳ２２，Ｓ２４，Ｓ２５のいずれかで決定した切り出し範囲のサイズを、縮小率に応じてサイズ変換し、処理を画像編集処理に戻す。具体的には、切り出し範囲の縦方向のサイズを縮小率に応じて変換する。切り出し範囲の縦方向の長さを、縮小率の平方根で除算した値に１００を乗じた長さとする。また、切り出し範囲の面積を縮小率（例えば８７％）で除算し、１００を乗じた面積となるようにしてもよい。
【００５９】
図１１に戻って、ステップＳ０４においては、ステップＳ０２で取得した画像データに基づく原稿画像を表示部１１４に表示する。ここでは、図４に示した画像編集画面３００の領域３０１に原稿画像３３０を表示する。そして、ステップＳ０３で決定したサイズの切り出し範囲を原稿画像に重畳して表示部１１４に表示する（ステップＳ０５）。ここでは、図４に示した画像編集画面３００の領域３０１に切り出し範囲３３１を原稿画像３３０に重畳して表示する。これにより、ユーザは、領域３０１を見て、原稿画像３３０のうちで出力画像として切り出す範囲を確認することができる。
【００６０】
次に、切り出し範囲３３１を移動させるための指示を受け付けたか否かを判断する（ステップＳ０６）。画像編集画面３００において、切り出し範囲３３１は、原稿画像中の位置を原稿画像のページ順に従って変化可能に表示されており、ユーザがタッチパネルで切り出し範囲３３１の位置を指示することにより、切り出し範囲３３１を移動させることができる。ＣＰＵ１１１は、ステップＳ０７において、ユーザがタッチパネルを指示する位置を検出し、切り出し範囲３３１の原稿画像３３０中の位置を決定し、その位置に切り出し範囲３３１を再表示することにより、切り出し範囲３３１を原稿画像のページに従って移動させる。これにより、ユーザは、領域３０１を見て、原稿画像３３０のうちから所望の部分が切り出す範囲に納まるように、切り出し範囲３３１を移動させることができる。
【００６１】
次に、切り出し範囲３３１の位置を決定する指示を受け付けたか否かを判断する（ステップＳ０８）。画像編集画面３００の読み込みボタン３１３が指示されたことを検出すると、切り出し範囲３３１の位置を決定する指示を受け付ける。切り出し範囲３３１の位置を決定する指示を受け付けたならば処理をステップＳ０９に進め、そうでなければ処理をステップＳ０７に戻す。すなわち、切り出し範囲３３１の原稿画像中における位置が決定されるまで、切り出し範囲３３１の位置を移動させる処理が繰り返される。
【００６２】
そして、原稿画像３３０の切り出し範囲３３１に含まれる部分のうち、原稿画像で先のページに含まれる部分３３３を第１部分画像として抽出し（ステップＳ０９）、後のページに含まれる部分３３５を第２部分画像として抽出する（ステップＳ１０）。次に、原稿画像から特定部分を抽出する（ステップＳ１１）。特定部分は、原稿画像３３０中で、予め定められた属性を有する部分であり、ここでは、特定部分をヘッダ領域３４１およびフッタ領域３４３としている。そして、第１部分画像と第２部分画像とに基づき、出力画像を生成する出力画像生成処理を実行する（ステップＳ１２）。
【００６３】
そして、生成された出力画像を出力する（ステップＳ１３）。出力画像の出力は、表示部１１４への表示、ＨＤＤ１１６に格納、画像形成部３０による画像の形成、のいずれであってもよい。出力画像を表示部１１４に表示する場合、出力画像が画像編集画面の領域３２１に表示される。
【００６４】
図１３は、出力画像生成処理の流れの一例を示すフローチャートである。図１３を参照して、ＣＰＵ１１１は、原稿画像３３０の先のページから抽出された第１部分画像３３３を処理対象画像に設定する（ステップＳ３１）。そして、原稿画像から特定部分が抽出されているか否かを判断する（ステップＳ３２）。原稿画像から特定部分が抽出されていれば、処理をステップＳ３３に進め、そうでなければステップＳ３３をスキップして処理をステップＳ３４に進める。
【００６５】
ステップＳ３３においては、処理対象画像から特定部分を削除する。ここでは、第１部分画像３３３がフッタ領域３４３を含むので、第１部分画像３３３のうちからフッタ領域３４３の部分を削除する。処理対象画像が第２部分画像３３５の場合、第２部分画像３３５がヘッダ領域３４１を含むので、第２部分画像３３５のうちからヘッダ領域３４１の部分を削除する。
【００６６】
ステップＳ３４においては、特定部分が削除された処理対象画像の属性を判別する。そして、属性が文字属性ならば処理をステップＳ３６に進め（ステップＳ３５でＹＥＳ）、そうでなければ処理をステップＳ３９に進める（ステップＳ３５でＮＯ）。ステップＳ３６においては、特定部分が削除された処理対象画像の行間隔を取得する。具体的には、特定部分が削除された処理対象画像から行領域を抽出し、抽出された行領域の間隔を取得する。
【００６７】
次に、縮小指示を受け付けたか否かを判断する（ステップＳ３７）。画像編集画面３００の領域３１１に１００％より小さな値の縮小率が設定された場合、縮小指示を受け付ける。縮小指示を受け付けたならば処理をステップＳ３８に進め、そうでなければステップＳ３８をスキップして処理をステップＳ４１に進める。ステップＳ３８においては、縮小率に従って、文字領域である処理対象画像の行間を補正し、処理をステップＳ４１に進める。例えば、８０％の縮小率が設定されている場合、第１部分画像３３３の面積を８０％に縮小しなければならないけれども、行間を狭くすることにより行領域の面積を縮小することなく、処理対象画像の縦方向の長さを短くする。これにより、第１部分画像３３３に含まれる文字のサイズよりも出力画像の文字のサイズが小さくならないので、出力画像の文字を見やすくすることができる。
【００６８】
一方、ステップＳ３９においては、ステップＳ３７と同様に、縮小指示を受け付けたか否かを判断する。縮小指示を受け付けたならば処理をステップＳ４０に進め、そうでなければステップＳ４０をスキップして処理をステップＳ４１に進める。ステップＳ４０においては、処理対象画像を縮小率に従って縮小し、処理をステップＳ４１に進める。
【００６９】
ステップＳ４１においては、第２部分画像について、ステップＳ３２〜ステップＳ４０の処理を実行したか否かを判断する。それらの処理を実行したならば処理をステップＳ４３に進めるが、実行していなければ処理をステップＳ４２に進める。ステップＳ４２においては、第２部分画像を処理対象画像に設定し、処理をステップＳ３２に戻す。これにより、原稿画像の後のページから抽出された第２部分画像について、ステップＳ３２〜ステップＳ４０の処理が実行される。
【００７０】
次に、ステップＳ３６において、第１部分画像または第２部分画像の少なくとも１つから行領域が抽出されたか否かを判断する。行領域が抽出されたならば処理をステップＳ４４に進め、そうでなければステップＳ４４をスキップして処理をステップＳ４５に進める。ステップＳ４４においては、第１部分画像と第２部分画像とを配置する間隔を決定する。配置する間隔は、抽出された行領域の間隔に基づいて決定する。ステップＳ３８において行間隔が補正されている場合には、補正後の行間隔に基づいて、配置する間隔を決定する。具体的には、第１部分画像の最終の行領域と、第２部分画像で最初の余白以外の部分との間が、先に求めた行間隔となるように、第１部分画像と第２部分画像との間隔を決定する。
【００７１】
次に、第１部分画像と第２部分画像とを並べて合成する。第１部分画像は、原稿画像が特定部分を含む場合には、ステップＳ３３においてその特定部分の部分を削除した画像であり、縮小率が設定されている場合には、ステップＳ３８において行間隔を補正した画像、またはステップＳ４０において縮小した画像である。
【００７２】
そして、第１部分画像と第２部分画像とを並べて合成した画像の最下部に、第１部分画像から抽出した特定部分を追加し（ステップＳ４６）、第１部分画像と第２部分画像とを並べて合成した画像の最上部に、第２部分画像から抽出した特定部分を追加し（ステップＳ４７）、処理を画像編集処理に戻す。これにより、出力画像が生成される。
【００７３】
以上説明したように本実施の形態におけるＭＦＰ１００は、画像編集画面３００の領域３０１に、複数ページの画像を含む原稿画像３３０を表示し、さらにその原稿画像３３０に重畳して、複数ページのページサイズを最大で有する切り出し範囲３３１を、複数ページが配置される順に従って移動可能に表示する。そして、切り出し範囲３３１の原稿画像３３０中の位置が決定されると、切り出し範囲３３１が連続する２つのページのうち先のページの一部３３３と後のページの一部３３５とを含む場合、先のページの一部３３３と後のページの一部３３５とに基づき出力画像を生成する。このため、ユーザが原稿画像３３０における切り出し範囲３３１の位置を決定するだけで、２つのページに分断された部分を含む出力画像が生成されるので、操作が容易である。
【００７４】
また、先のページの一部３３３および後のページの一部３３５の少なくとも一方から複数の行領域を抽出し、抽出された複数の行領域間の間隔に基づいて、先のページの一部３３３と後のページの一部３３５とを配置する間隔を決定する。このため、出力画像において先のページの一部と後のページの一部との境目を目立たなくすることができる。
【００７５】
また、原稿画像３３０のうちから予め定められた属性のヘッダ領域３４１とフッタ領域３４３が抽出され、原稿画像３３０から抽出された先のページの一部３３３および後のページの一部３３５からヘッダ領域３４１とフッタ領域３４３が削除される。このため、出力画像において先のページの一部と後のページの一部との境目に、ヘッダ領域３４１とフッタ領域３４３が配置されることがなく、出力画像の見栄えをよくすることができる。
【００７６】
また、先のページの一部３３３から削除されたフッタ領域３４３を合成画像の後に並べて付加し、後のページの一部３３５から削除されたヘッダ領域３４１を合成画像の前に並べて付加する。このため、出力画像においてヘッダ領域３４１とフッタ領域３４３とを適切な位置に配置することができる。
【００７７】
また、縮小率が設定されると、先のページの一部と後のページの一部とを縮小率に従ってそれぞれ変換し、先のページの一部を変換した第１の変換画像の後に後のページの一部を変換した第２の変換画像を並べた画像が生成される。画像が文字を含む文字属性の場合、画像から複数の行領域が抽出され、抽出された複数の行領域間の間隔が縮小率に基づいて定まる間隔に変更されるので、出力画像における文字のサイズが原稿画像３３０における文字のサイズより小さくなることがなく、見易い画像に編集することができる。
【００７８】
なお、本実施の形態においては、切り出し範囲３３１が連続する２つのページの画像それぞれの一部を含む場合を主に説明したが、１つのページで段組数が複数の画像についても、同様に適用できる。また、原稿情報から切り出し範囲のサイズを定めることなく、ユーザが原稿画像３３０中で指定した範囲の画像を少なくとも１つ切り出すようにしてもよい。この場合、切り出した画像が複数の場合、原稿画像３３０中の位置が先のものほど出力画像で先となるように配置して、出力画像を生成するようにしてもよい。
【００７９】
また、上述した実施の形態においては、画像編集装置の一例としてＭＦＰ１００を例に説明したが、図１１〜図１２に示した処理をコンピュータで実行するようにしてもよい。また、コンピュータとＭＦＰ１００とを接続し、図１１〜図１２に示した処理を、コンピュータおよびＭＦＰ１００のいずれか一方で実行するようにしてもよい。また、図１１〜図１２に示した処理をコンピュータで実行するための画像編集方法または画像編集プログラムとして発明を捉えることができるのは言うまでもない。
【００８０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００８１】
＜付記＞
（１）  原稿画像から複数の部分を抽出する抽出手段と、
前記抽出された複数の部分を並べた合成画像を生成する合成手段と、を備え、
前記合成手段は、前記複数の部分それぞれの前記原稿画像中の位置に基づき、前記複数の部分の配置順を決定する配置順決定手段を含む、画像編集装置。
【図面の簡単な説明】
【００８２】
【図１】ＭＦＰの外観を示す斜視図である。
【図２】ＭＦＰのハード構成の一例を示すブロック図である。
【図３】ＣＰＵの機能の概要の一例を示す機能ブロック図である。
【図４】画像編集画面の一例を示す第１の図である。
【図５】原稿画像と特定部分との関係の一例を示す図である。
【図６】複数の原稿画像を表示する例を示す第１の図である。
【図７】複数の原稿画像を表示する例を示す第２の図である。
【図８】出力画像生成部の詳細な機能を示す機能ブロック図である。
【図９】合成画像の一例を示す第１の図である。
【図１０】検索履歴表示画面の一例を示す図である。
【図１１】画像編集処理の流れの一例を示すフローチャートである。
【図１２】切り出し範囲サイズ決定処理の一例を示すフローチャートである。
【図１３】出力画像生成処理の流れの一例を示すフローチャートである。
【符号の説明】
【００８３】
９  操作パネル、１０  ＡＤＦ、２０  画像読取部、３０  画像形成部、４０  給紙部、６０  ファクシミリ部、６１  通信制御部、１００  ＭＦＰ、１０１  メイン回路、１１１  ＣＰＵ、１１２  ＲＡＭ、１１３  ＲＯＭ、１１４  表示部、１１５  操作部、１１６  ＨＤＤ、１１７  データ通信制御部、１１８  ＬＡＮ端子、１１９  シリアル通信インターフェース端子、１１９Ａ  メモリカード、２０１  画像データ受付部、２０３  原稿情報受付部、２０５  重畳表示部、２０７  範囲指定部、２０９  抽出部、２１１  特定部分抽出部、２１３  出力画像生成部、２２１  特定部分削除部、２２３  属性判別部、２２５  行領域抽出部、２２７  行間補正部、２２９  縮小部、２３１  合成部、２３３  特定部分付加部。
【図１】
2008078757.tif 000003
【図２】
2008078757.tif 000004
【図３】
2008078757.tif 000005
【図４】
2008078757.tif 000006
【図５】
2008078757.tif 000007
【図６】
2008078757.tif 000008
【図７】
2008078757.tif 000009
【図８】
2008078757.tif 000010
【図９】
2008078757.tif 000011
【図１０】
2008078757.tif 000012
【図１１】
2008078757.tif 000013
【図１２】
2008078757.tif 000014
【図１３】
2008078757.tif 000015